【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）が、無線フレーム内のサブフレームの開始より前にチャネル占有信号を受信することと、
前記チャネル占有信号の受信に少なくとも部分的に基づいて、前記サブフレームが競合ベースのアクセス手順および無認可無線周波数スペクトル帯域へのアクセスのための要求メッセージの送信の候補であると決定することと、
前記無認可無線周波数スペクトル帯域へのアクセスを獲得するための前記競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別することと、
シンボルの前記第１のサブセット中に前記競合ベースのアクセス手順を実行することと、
前記競合ベースのアクセス手順の結果に少なくとも部分的に基づいてシンボルの前記第２のサブセット中に前記要求メッセージを送信することと
を備える方法。
【請求項２】
前記要求メッセージを送信することが、前記無認可無線周波数スペクトル帯域で動作するセルにアクセスするために、前記無認可無線周波数スペクトル帯域を介して拡張物理ランダムアクセスチャネル（ｅＰＲＡＣＨ）上で前記要求メッセージを送信することを備える
をさらに備える、請求項１に記載の方法。
【請求項３】
シンボルの前記第１のサブセットが、前記チャネル占有信号と前記無線フレーム内の前記サブフレームのサブフレーム境界とを検出するためのハードウェア遅延またはソフトウェア遅延に少なくとも部分的に基づいて識別される、ここにおいて、シンボルの前記第２のサブセットが、シンボルの前記第１のサブセット、前記チャネル占有信号の送信のための前記サブフレーム内の識別されたシンボル、または送信受信間切替え遅延に少なくとも部分的に基づいて識別される、請求項１に記載の方法。
【請求項４】
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、請求項１に記載の方法。
【請求項５】
前記要求メッセージが、前記第１のシンボルのためのＤＭＲＳシフトと前記第２のシンボルのためのデータインターレースとを通して１つまたは複数の他のノードと多重化される、請求項４に記載の方法。
【請求項６】
前記要求メッセージの前記送信が、前記サブフレームのサブフレーム境界と整合しておらず、シンボル境界と整合している、請求項１に記載の方法。
【請求項７】
システム情報ブロック中で、前記サブフレーム、シンボルの前記第１のサブセット、またはシンボルの前記第２のサブセットのうちの少なくとも１つの指示を受信すること
をさらに備える、請求項１に記載の方法。
【請求項８】
１つまたは複数の他のリソースが前記要求メッセージの送信のために利用可能であると決定することと、
利用可能なリソースの優先度付けに少なくとも部分的に基づいて前記要求メッセージの送信のための前記利用可能なリソースのうちの１つを選択することと
をさらに備える、請求項１に記載の方法。
【請求項９】
前記要求メッセージの送信のための利用可能なリソースの前記優先度付けが、システム情報ブロック中で受信されたリソースの優先度付けまたは利用可能なリソースのバイアス付きランダム選択に基づく、請求項８に記載の方法。
【請求項１０】
前記要求メッセージが、スケジュールされていない要求メッセージである、請求項９に記載の方法。
【請求項１１】
ワイヤレス通信の方法であって、
基地局が、ユーザ機器（ＵＥ）による無認可無線周波数スペクトル帯域へのアクセスのための要求メッセージの受信のための１つまたは複数の無線フレーム内の１つまたは複数のサブフレームを識別することと、
前記基地局が、前記無認可無線周波数スペクトル帯域へのアクセスのために前記要求メッセージの受信のための前記識別された１つまたは複数のサブフレーム内のシンボルのサブセットを識別することと、
前記基地局が、前記識別されたサブフレーム内のシンボルの前記サブセット中に前記ＵＥから前記要求メッセージを受信することと
を備える方法。
【請求項１２】
前記識別された１つまたは複数のサブフレームとシンボルの前記サブセットとの指示を前記ＵＥに送信すること、ここにおいて、前記指示が、システム情報ブロック（ＳＩＢ）中で送信される、
をさらに備える、請求項１１に記載の方法。
【請求項１３】
前記指示が、前記要求メッセージの送信のために利用可能な１つまたは複数の他のリソースのさらなる識別情報と、利用可能なリソースの優先度付けとをさらに備える、請求項１１に記載の方法。
【請求項１４】
シンボルの前記サブセットが、別のノードからのチャネル占有信号の送信のための時間または送信受信間切替え遅延に少なくとも部分的に基づいて識別される、または、
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、請求項１１に記載の方法。
【請求項１５】
ワイヤレスデバイスにおけるワイヤレス通信のための装置であって、
請求項１乃至１４のうちのいずれか一項に記載のステップを実行するように構成された手段
を備える、装置。
【手続補正２】
【補正対象書類名】明細書
【補正対象項目名】０２１５
【補正方法】変更
【補正の内容】
【０２１５】
[0234]本開示についての以上の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信の方法であって、
無認可無線周波数スペクトル帯域へのアクセスのための要求メッセージの送信のために利用可能な無線フレーム内のサブフレームを決定することと、
前記無認可無線周波数スペクトル帯域へのアクセスを獲得するための競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別することと、
シンボルの前記第１のサブセット中に前記競合ベースのアクセス手順を実行することと、
前記競合ベースのアクセス手順の結果に基づいてシンボルの前記第２のサブセット中に前記要求メッセージを送信することと
を備える方法。
［Ｃ２］
前記要求メッセージを送信することが、前記無認可無線周波数スペクトル帯域で動作するセルにアクセスするために、前記無認可無線周波数スペクトル帯域を介して拡張物理ランダムアクセスチャネル（ｅＰＲＡＣＨ）上で前記要求メッセージを送信することを備える
をさらに備える、Ｃ１に記載の方法。
［Ｃ３］
シンボルの前記第１のサブセットが、別のノードからのチャネル占有信号と前記無線フレーム内の前記サブフレームのサブフレーム境界とを検出するためのハードウェア遅延またはソフトウェア遅延に少なくとも部分的に基づいて識別される、ここにおいて、シンボルの前記第２のサブセットが、シンボルの前記第１のサブセット、別のノードからの前記チャネル占有信号の送信のための前記サブフレーム内の識別されたシンボル、または送信受信間切替え遅延に少なくとも部分的に基づいて識別される、Ｃ１に記載の方法。
［Ｃ４］
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、Ｃ１に記載の方法。
［Ｃ５］
前記要求メッセージが、前記第１のシンボルのためのＤＭＲＳシフトと前記第２のシンボルのためのデータインターレースとを通して１つまたは複数の他のノードと多重化される、Ｃ４に記載の方法。
［Ｃ６］
前記要求メッセージの前記送信が、前記サブフレームのサブフレーム境界と整合しておらず、シンボル境界と整合している、Ｃ１に記載の方法。
［Ｃ７］
システム情報ブロック中で、前記サブフレーム、シンボルの前記第１のサブセット、またはシンボルの前記第２のサブセットのうちの少なくとも１つの指示を受信すること
をさらに備える、Ｃ１に記載の方法。
［Ｃ８］
１つまたは複数の他のリソースが前記要求メッセージの送信のために利用可能であると決定することと、
利用可能なリソースの優先度付けに少なくとも部分的に基づいて前記要求メッセージの送信のための前記利用可能なリソースのうちの１つを選択することと
をさらに備える、Ｃ１に記載の方法。
［Ｃ９］
前記要求メッセージの送信のための利用可能なリソースの前記優先度付けが、システム情報ブロック中で受信されたリソースの優先度付けまたは利用可能なリソースのバイアス付きランダム選択に基づく、Ｃ８に記載の方法。
［Ｃ１０］
前記要求メッセージが、スケジュールされていない要求メッセージである、Ｃ９に記載の方法。
［Ｃ１１］
ワイヤレス通信の方法であって、
ユーザ機器（ＵＥ）による無認可無線周波数スペクトル帯域へのアクセスのための要求メッセージの受信のための１つまたは複数の無線フレーム内の１つまたは複数のサブフレームを識別することと、
前記無認可無線周波数スペクトル帯域へのアクセスのために前記要求メッセージの受信のための前記識別された１つまたは複数のサブフレーム内のシンボルのサブセットを識別することと
を備える方法。
［Ｃ１２］
前記識別された１つまたは複数のサブフレームとシンボルの前記サブセットとの指示を前記ＵＥに送信すること、ここにおいて、前記指示が、システム情報ブロック（ＳＩＢ）中で送信される、
をさらに備える、Ｃ１１に記載の方法。
［Ｃ１３］
前記指示が、前記要求メッセージの送信のために利用可能な１つまたは複数の他のリソースのさらなる識別情報と、利用可能なリソースの優先度付けとをさらに備える、Ｃ１１に記載の方法。
［Ｃ１４］
前記無認可無線周波数スペクトル帯域にアクセスするための前記ＵＥからの要求メッセージについてシンボルの前記サブセットを監視すること
をさらに備える、Ｃ１１に記載の方法。
［Ｃ１５］
シンボルの前記サブセットが、別のノードからのチャネル占有信号の送信のための時間または送信受信間切替え遅延に少なくとも部分的に基づいて識別される、Ｃ１１に記載の方法。
［Ｃ１６］
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、Ｃ１１に記載の方法。
［Ｃ１７］
ワイヤレスデバイスにおけるワイヤレス通信のための装置であって、
無認可無線周波数スペクトル帯域へのアクセスのための要求メッセージの送信のために利用可能な無線フレーム内のサブフレームを決定するための手段と、
前記無認可無線周波数スペクトル帯域へのアクセスを獲得するための競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別するための手段と、
シンボルの前記第１のサブセット中に前記競合ベースのアクセス手順を実行するための手段と、
前記競合ベースのアクセス手順の結果に基づいてシンボルの前記第２のサブセット中に前記要求メッセージを送信するための手段と
を備える、装置。
［Ｃ１８］
前記要求メッセージを送信するための手段が、前記無認可無線周波数スペクトル帯域で動作するセルにアクセスするために前記無認可無線周波数スペクトル帯域を介して拡張物理ランダムアクセスチャネル（ｅＰＲＡＣＨ）上で前記要求メッセージを送信することを備える
をさらに備える、Ｃ１７に記載の装置。
［Ｃ１９］
シンボルの前記第１のサブセットが、別のノードからのチャネル占有信号と前記無線フレーム内の前記サブフレームのサブフレーム境界とを検出するためのハードウェア遅延またはソフトウェア遅延に少なくとも部分的に基づいて識別される、ここにおいて、シンボルの前記第２のサブセットが、シンボルの前記第１のサブセット、別のノードからの前記チャネル占有信号の送信のための前記サブフレーム内の識別されたシンボル、または送信受信間切替え遅延に少なくとも部分的に基づいて識別される、Ｃ１７に記載の装置。
［Ｃ２０］
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、Ｃ１７に記載の装置。
［Ｃ２１］
前記要求メッセージが、前記第１のシンボルのためのＤＭＲＳシフトと前記第２のシンボルのためのデータインターレースとを通して１つまたは複数の他のノードと多重化される、Ｃ２０に記載の装置。
［Ｃ２２］
前記要求メッセージの前記送信が、前記サブフレームのサブフレーム境界と整合しておらず、シンボル境界と整合している、Ｃ１７に記載の装置。
［Ｃ２３］
システム情報ブロック中で、前記サブフレーム、シンボルの前記第１のサブセット、またはシンボルの前記第２のサブセットのうちの少なくとも１つの指示を受信するための手段
をさらに備える、Ｃ１７に記載の装置。
［Ｃ２４］
１つまたは複数の他のリソースが前記要求メッセージの送信のために利用可能であると決定するための手段と、
利用可能なリソースの優先度付けに少なくとも部分的に基づいて前記要求メッセージの送信のための前記利用可能なリソースのうちの１つを選択するための手段と
をさらに備える、Ｃ１７に記載の装置。
［Ｃ２５］
前記要求メッセージの送信のための利用可能なリソースの前記優先度付けが、システム情報ブロック中で受信されたリソースの優先度付けまたは利用可能なリソースのバイアス付きランダム選択に基づく、Ｃ２４に記載の装置。
［Ｃ２６］
前記要求メッセージが、スケジュールされていない要求メッセージである、Ｃ２５に記載の装置。
［Ｃ２７］
ワイヤレスデバイスにおけるワイヤレス通信のための装置であって、
ユーザ機器（ＵＥ）による無認可無線周波数スペクトル帯域へのアクセスのための要求メッセージの受信のための１つまたは複数の無線フレーム内の１つまたは複数のサブフレームを識別するための手段と、
前記無認可無線周波数スペクトル帯域へのアクセスのための前記要求メッセージの受信のための前記識別された１つまたは複数のサブフレーム内のシンボルのサブセットを識別するための手段と
を備える、装置。
［Ｃ２８］
前記識別された１つまたは複数のサブフレームとシンボルの前記サブセットとの指示を前記ＵＥに送信するための手段、ここにおいて、前記指示が、システム情報ブロック（ＳＩＢ）中で送信される、
をさらに備える、Ｃ２７に記載の装置。
［Ｃ２９］
前記指示が、前記要求メッセージの送信のために利用可能な１つまたは複数の他のリソースのさらなる識別情報と、利用可能なリソースの優先度付けとをさらに備える、Ｃ２７に記載の装置。
［Ｃ３０］
前記無認可無線周波数スペクトル帯域にアクセスするための前記ＵＥからの要求メッセージについてシンボルの前記サブセットを監視するための手段
をさらに備える、Ｃ２７に記載の装置。